(57)【要約】      （修正有）【課題】身体障害者から老人、幼児に至るまで避難が可能で、簡素な構成かつ安価な津波避難施設を提供する。【解決手段】津波避難施設Ａは、略鉛直な第１外周壁Ｈ１を有する柱状部と、柱状部の第１外周壁Ｈ１に沿って添設されていて地面１７と柱状部の最上面１４とをつなぐ斜路部Ｃ１，Ｃ２と、を備え、斜路部Ｃ１，Ｃ２は略鉛直な第２外周壁Ｈ２を有し、第１外周壁Ｈ１および第２外周壁Ｈ２は、鋼材を材料として組み立てられていて土砂を堰き止め可能な壁部材で構成され、柱状部は第１外周壁Ｈ１の内側に土砂が充填されて形成され、斜路部Ｃ１，Ｃ２は第２外周壁Ｈ２の内側に土砂が充填されて形成されている。【選択図】図１
2015101913.tif 000002
【特許請求の範囲】
【請求項１】
略鉛直な第１外周壁を有する柱状部と、前記柱状部の第１外周壁に沿って添設されていて地面と柱状部の最上面とをつなぐ斜路部と、を備えて成り、
前記斜路部は略鉛直な第２外周壁を有し、前記第１外周壁および前記第２外周壁は、鋼材を材料として組み立てられていて土砂を堰き止め可能な壁部材で構成され、前記柱状部は前記第１外周壁の内側に土砂が充填されて形成され、前記斜路部は前記第２外周壁の内側に土砂が充填されて形成されていることを特徴とする津波避難施設。
【請求項２】
前記壁部材が、柱状部の周方向に離間して配置され地面に対し略鉛直の姿勢で立設された複数の縦板鋼材、および、略水平の姿勢で上下方向に離間して配置され前記縦板鋼材に固定された複数の横桟鋼材で格子状に構築された鋼製枠と、
前記鋼製枠の内側面に全面にわたって被設されて土砂を通過させない大きさの網目を有する鋼製ネット材と、から構成されていることを特徴とする請求項１に記載の津波避難施設。
【請求項３】
地面に対する斜路部の勾配が、４％以上１１％以下に設定されていることを特徴とする請求項１または請求項２に記載の津波避難施設。
【請求項４】
柱状部が、平面視で略円形状に形成されていることを特徴とする請求項１から請求項３までのいずれか一項に記載の津波避難施設。
【請求項５】
前記柱状部の少なくとも最上面を蔽う屋根体を備えていることを特徴とする請求項１から請求項４までのいずれか一項に記載の津波避難施設。
【請求項６】
前記柱状部の最上部に、人が居住可能な避難室が設けられていることを特徴とする請求項１から請求項５までのいずれか一項に記載の津波避難施設。
【請求項７】
少なくとも前記屋根体の最上面に、前記避難室に給電するための太陽電池が設置されていることを特徴とする請求項６に記載の津波避難施設。
【発明の詳細な説明】
【技術分野】
【０００１】
本発明は、主に盛土と鋼材を用いて簡素かつ安価に構築されていて、身体障害者から老人、幼児に至るまで避難が可能な津波避難施設関するものである。
【背景技術】
【０００２】
従来、津波から人が避難する場合、図１２（ａ）に示すように、住居５１から地元の高台５０に駆け登って避難することが多い。
また、図１２（ｂ）に示すように、海岸堤に防潮林５２を植林し、この防潮林５２に津波の波力エネルギーを吸収させることにより、津波が住居５１に到達するまでの時間を遅らせ、その間に避難時間をかせぐという方策もある。
あるいは、図１２（ｃ）に示すように、地面に立設された支柱５３，５３，５３，・・・上に避難床５４を設置し、更に階段５５を設けて成る、鉄鋼構築の高床式避難タワーなどが知られている。このような高床式避難タワーと類似する建造物は、例えば下記の特許文献１に記載されている。
【先行技術文献】
【特許文献】
【０００３】
【特許文献１】特開２０１３−２２１２４６号公報
【発明の概要】
【発明が解決しようとする課題】
【０００４】
ところで、上記した従来の地元高台５０に避難する態様では、住居５１から高台までが遠く避難に時間がかかる場合が多い。一方、海岸堤の防潮林５２により津波の住居５１への到達時間を遅延させる方策の場合も、津波は木々の間をすり抜けたり木々をなぎ倒したりするので、住居５１への到達時間を遅らせることはほとんどできない。このことは東日本大震災で立証済みである。そして、上記特許文献１に記載の津波避難用建造物では、高齢者、身体障害者および幼児にとって階段の昇降が困難である。すなわち、この津波避難用建造物は健常者が専有することとなるので、高齢者、身体障害者または幼児用の避難所としては不向きである。
【０００５】
他方で、図１３に示すような、頑丈な立方体避難構造物５６も知られている。しかしながら、この立方体避難構造物５６は、波動軌跡線５７，５８で示すように、津波の波力エネルギーを真正面の鉛直平面でほぼ１００％受けるので、損壊に至りやすく避難者の安全を保障しがたいという問題がある。
【０００６】
本発明は、上記した従来の問題点に鑑みてなされたものであって、身体障害者から老人、幼児に至るまで避難が可能で、簡素な構成かつ安価に提供できる津波避難施設の提供を目的とする。
【課題を解決するための手段】
【０００７】
上記目的を達成するために、本発明に係る津波避難施設は、略鉛直な第１外周壁を有する柱状部と、前記柱状部の第１外周壁に沿って添設されていて地面と柱状部の最上面とをつなぐ斜路部と、を備えて成り、前記斜路部は略鉛直な第２外周壁を有し、前記第１外周壁および前記第２外周壁は、鋼材を材料として組み立てられていて土砂を堰き止め可能な壁部材で構成され、前記柱状部は前記第１外周壁の内側に土砂が充填されて形成され、前記斜路部は前記第２外周壁の内側に土砂が充填されて形成されていることを特徴とする構成にしてある。
【０００８】
また、前記構成において、前記壁部材が、それぞれ、柱状部の周方向に離間して配置され地面に対し略鉛直の姿勢で立設された複数の縦板鋼材、および、略水平の姿勢で上下方向に離間して配置され前記縦板鋼材に固定された複数の横桟鋼材で格子状に構築された鋼製枠と、前記鋼製枠の内側面に全面にわたって被設されて土砂を通過させない大きさの網目を有する鋼製ネット材と、から構成されているものである。
【０００９】
そして、前記した各構成において、地面に対する斜路部の勾配が、４％以上１１％以下に設定されているものである。
【００１０】
更に、前記した各構成において、柱状部が、平面視で略円形状に形成されているものである。
【００１１】
また、前記各構成において、前記柱状部の少なくとも最上面を蔽う屋根体を備えていることを特徴とするものである。
【００１２】
そして、前記した各構成において、前記柱状部の最上部に、人が居住可能な避難室が設けられているものである。
【００１３】
更に、前記構成において、少なくとも前記屋根体の最上面に、前記避難室に給電するための太陽電池が設置されているものである。
【発明の効果】
【００１４】
本発明に係る津波避難施設によれば、柱状部の第１外周壁および斜路部の第２外周壁が、鋼材を材料として組み立てられていて土砂を堰き止め可能な壁部材で構成され、柱状部が第１外周壁の内側に土砂が充填されて形成され、斜路部が第２外周壁の内側に土砂が充填されて形成されるので、簡素な構成で且つ安価に提供できる。従って、予算に窮している地方自治体であっても、数多くの津波避難施設を構築することができる。従って、住居の近くに建設できるから、避難者は短時間で避難することができる。しかも、充填された土砂には草木が植生するので、柱状部の最上面はもとより斜路部、第１外周壁および第２外周壁に至るまで草木が生えて、通常時は高台公園として市民に開放され利用に供することができる。
【００１５】
また、前記壁部材が、柱状部の周方向に離間して配置され地面に対し略鉛直の姿勢で立設された複数の縦板鋼材、および、略水平の姿勢で上下方向に離間して配置され前記縦板鋼材に固定された複数の横桟鋼材で格子状に構築された鋼製枠と、前記鋼製枠の内側面に全面にわたって被設されて土砂を通過させない大きさの網目を有する鋼製ネット材と、から構成されているものでは、現実に実現可能な構造となり、よりいっそう簡素で安価な構成の津波避難施設として提供することができる。
【００１６】
そして、地面に対する斜路部の勾配が４％以上１１％以下に設定されているものでは、斜路部の傾斜は比較的緩やかである。これにより、老人、車椅子利用者、幼児などであっても、斜路部を無理なく確実に登ることができ、一人でも多くに人命を救うことができる。尚、斜路部の勾配が４％を下回ると、地面から柱状部の最上面までの距離が長くなりすぎて、津波到達までに最上面に避難できないおそれがある。一方、斜路部の勾配が１１％を上回ると、傾斜がきつすぎて高齢者や身体障害者が自力で登れなくなるおそれがある。
【００１７】
更に、柱状部が平面視で略円形状に形成されているものでは、柱状部の周囲に添設される斜路部も当然ながら平面視で略円形状に形成される。従って、柱状部の第１外周壁や斜路部の第２外周壁に津波自体や浮遊物体が衝突したとしても、津波や浮遊物体は柱状部の第１外周壁や斜路部の第２外周壁で左右に流れて衝突エネルギーが左右方向に分散される。これにより、強大な衝突エネルギーを予想した強固な構造物（例えばコンクリート製構造物）までも用意する必要がなく、比較的簡素で安価な構造の津波避難施設で十分に持ち堪えることができる。
【００１８】
また、柱状部の少なくとも最上面を蔽う屋根体を備えているものでは、直射日光や雨から避難者を守ることができ、長時間の避難に耐えさせることができる。また、屋根体の上面を利用することも可能である。例えば、後述するような太陽電池の設置にも利用できる。
【００１９】
そして、柱状部の最上部に、人が居住可能な避難室が設けられているものでは、例えば締め固められた土砂を掘削して形成された避難室は、夏の暑さや冬の寒さをしのぐことができ、救援されるまでの避難者の体力消耗を抑制することができる。
【００２０】
更に、少なくとも屋根体の最上面に、避難室に給電するための太陽電池が設置されているものでは、太陽電池で得られた電力を避難室の例えば充電池に蓄電しておき、街灯、室内灯、食料保存庫、空調機器などの電源として利用することができる。
【図面の簡単な説明】
【００２１】
【図１】本発明の一実施形態に係る津波避難施設を示す外観図である。
【図２】前記津波避難施設の平面図である。
【図３】前記津波避難施設の縦断面図である。
【図４】前記津波避難施設に用いられる鋼製枠の部分分解斜視図である。
【図５】前記鋼製枠の部分斜視図である。
【図６】前記鋼製枠の部分縦断面図である。
【図７】前記津波避難施設が津波に襲われたときの平面状態を示す説明図である。
【図８】前記津波避難施設が津波に襲われたときの側面状態を示す説明図である。
【図９】東日本大震災時に釜石市沖の波高計で計測された水位の経時変化を示したグラフの図である。
【図１０】前記津波避難施設が前記釜石市沖の波高計で計測された津波と同レベルの波を受けた場合のシミュレーション結果を示した説明図である。
【図１１】本発明の別の実施形態に係る津波避難施設を示す図であって、（ａ）は縦断面図、（ｂ）は平面図、（ｃ）は最上部の部分斜視図である。
【図１２】従来の避難形態を示す図であって、（ａ）は地元の高台を示した側面図、（ｂ）は防潮林を示した側面図、（ｃ）は高床式避難タワーの外観図である。
【図１３】従来の別の矩形避難施設が津波に襲われたときの状態を示す図であって、（ａ）は平面説明図、（ｂ）は側面説明図である。
【発明を実施するための形態】
【００２２】
本発明の実施形態を図面に基づいて説明する。尚、以下に述べる実施形態は本発明を具体化した一例に過ぎず、本発明の技術的範囲を限定するものでない。図１は本発明の一実施形態に係る津波避難施設を示す外観図、図２は前記津波避難施設の平面図、図３は前記津波避難施設の縦断面図である。
各図において、この実施形態に係る津波避難施設Ａは、鉛直な第１外周壁Ｈ１を有する平面視円形で円柱状の柱状部Ｂと、柱状部Ｂの第１外周壁Ｈ１に沿って添設された斜路部Ｃ１，Ｃ２とを備えている。斜路部Ｃ１，Ｃ２は、地面１７と柱状部Ｂの最上面１４とをつなぐためにラセン状に傾斜して形成されていて、鉛直な第２外周壁Ｈ２を有している。前記した第１外周壁Ｈ１および第２外周壁Ｈ２は、後で詳述する鋼製枠１０，１０Ａ，１０Ｂで構成されている。これらの鋼製枠１０，１０Ａ，１０Ｂは鋼材を材料として組み立てられており、土砂１１，１２を堰き止め可能な構成にされている。また、後で詳述するが、前記の柱状部Ｂは、第１外周壁Ｈ１の内側に充填された土砂１２が転圧により締め固めて形成されている。前記の斜路部Ｃ１，Ｃ２は、第２外周壁Ｈ２の内側に充填された土砂１１を転圧により締め固めて形成されている。
【００２３】
斜路部Ｃ１の最下部は登り口Ｄとなっている。斜路部Ｃ１は勾配θが例えば５．３％に設定されており、登り口Ｄから柱状部Ｂの周りをほぼ１周し踊り場Ｅとつながっている。この踊り場Ｅの壁部材２８は鉛直平面の鋼製枠１０Ｂ（第２外周壁Ｈ２）を用いて形成されている。斜路部Ｃ２は勾配θが例えば６．４％に設定されており、踊り場Ｅから柱状部Ｂの周りをほぼ１周し最上面１４への入口Ｆとつながっている。この入口Ｆの壁部材２８も鉛直平面である鋼製枠１０Ｂ（第２外周壁Ｈ２）を用いて形成されている。
【００２４】
前記した壁部材２８は、図４、図５、図６に示すように、鋼製枠１０（または１０Ａ，１０Ｂ）と、鋼製枠１０（１０Ａ，１０Ｂ）の内側面に全面にわたって被設された鋼製ネット材１５とから構成されている。鋼製ネット材１５は細鋼線を材料として編まれた編成体として形成されており、その網目は土砂１１，１２を通過させない大きさにされている。前記した鋼製枠１０は、複数の縦板鋼材１，１，１，・・・と、複数の横桟鋼材２，２，２，・・・および横桟鋼材３，３，３，・・・と、を備えて構成されている。前記の縦板鋼材１，１，１，・・・は、柱状部Ｂの周方向に離間して配置されていて地面１７に対し鉛直姿勢で立設されている。前記の横桟鋼材２，２，２，・・・は、水平姿勢で上下方向に離間して配置されていて縦板鋼材１，１，１，・・・の内面側に熔接などにより固着されている。横桟鋼材３，３，３，・・・は、水平姿勢で上下方向に離間して配置されていて縦板鋼材１，１，１，・・・の外面側に熔接などにより固着される。これらにより、格子状の鋼製枠１０（１０Ａ，１０Ｂ）を構成するための単位ユニットが出来上がる。
【００２５】
縦板鋼材１の上部と下部には、上下各１対のボルト通し穴４，４が穿設されている。これらのボルト通し穴４は、図４に示すように、鋼製枠１０の或る単位ユニットの上方に別の単位ユニットを積み上げる際に使用される。すなわち、或る単位ユニットの縦板鋼材１の上部のボルト通し穴４，４に、別の単位ユニットの縦板鋼材１の上部のボルト通し穴４，４が重ね合わせられ、その状態で固定ボルト５，５がボルト通し穴４，４，４，４に挿通されてナット６，６で締められて固定される。この場合、各縦板鋼材１の例えば最下端のボルト通し穴４に、鋼板製の連結金具７があてがわれ前述の固定ボルト５およびナット６を共用して固定される。連結金具７の先端部には、チェーン１３の端部を掛止するための係止溝７Ａが形成されている。複数の単位ユニットを水平方向に連結するときは、各単位ユニットの横桟鋼材２，２，２に連結パイプ８，８，８（図５参照）が装着されて連結され、横桟鋼材３，３，３に連結パイプ９，９，９（図５参照）が装着されて連結される。
【００２６】
引き続き、津波避難施設Ａを構築する手順を説明する。
まず、図４に示すように、平鋼である縦板鋼材１の内面側の上下３箇所に、丸鋼である横桟鋼材２を３本熔接付けする。続いて、縦板鋼材１の外面側の上下３箇所に、丸鋼である横桟鋼材３を３本熔接付けする。そして、各縦板鋼材１の下端に連結金具７を固定しておく。これにより、図５に示すような棚状の鋼製枠１０の単位ユニットが得られる。
【００２７】
そこで、連結パイプ８，９を用い、地面１７上で複数の単位ユニットを水平方向に連結していくと、平面視円形状である内側の鋼製枠１０が１段高さ５０ｃｍで直径３０ｍに組み立てられる（図３参照）。更に、鋼製枠１０の内側面の全面にわたり、鋼製ネット材１５が添設される。この内側の鋼製枠１０内に土砂１２が充填され転圧により締め固められて鋼製枠１０と同じ高さ５０ｃｍの盛土にされる。
【００２８】
前記と同様の工法によって、その外方に直径４０ｍで高さ５０ｃｍである外側の鋼製枠１０（第１外周壁Ｈ１）が構築される。そして、外側と内側の鋼製枠１０，１０間は、対面する連結金具７，７を介してチェーン１３で半径方向に連結される。複数のチェーン１３が周方向に適宜離間した位置で用いられる。これら複数のチェーン１３，１３，１３・・・の途中位置には鋼線１６が通されることにより周方向の連絡補強がなされる。
【００２９】
そして、外側と内側の鋼製枠１０，１０間に、例えば土砂１２よりも平均粒径の大きな土砂１１が充填され転圧により締め固められて、同様の高さ５０ｃｍの盛土にされる。次に、前記した外側の鋼製枠１０（第１外周壁Ｈ１）と同様にして、外側の鋼製枠１０（第１外周壁Ｈ１）の外方に、直径５０ｍで高さ５０ｃｍの鋼製枠１０Ａ（第２外周壁Ｈ２）が構築される。この鋼製枠１０Ａは、外側の鋼製枠１０との間に配備された周方向複数の１３，１３，１３，・・・で連結される。その後、この鋼製枠１０Ａと外側の鋼製枠１０との間に、土砂１１が充填されて転圧により締め固められる。このようにしてラセン状の斜路部Ｃ２が造成される。
【００３０】
続いて、前記した直径５０ｍの鋼製枠１０Ａと同様にして、その鋼製枠１０Ａの外方に、直径６０ｍで高さ５０ｃｍの鋼製枠１０Ａ（第２外周壁Ｈ２）が構築される。この鋼製枠１０Ａは、直径５０ｍの鋼製枠１０Ａとの間に配備された周方向複数の１３，１３，１３，・・・で連結される。その後、直径６０ｍの鋼製枠１０Ａと直径５０ｍの鋼製枠１０Ａとの間に、土砂１１が充填されて転圧により締め固められる。このようにしてラセン状の斜路部Ｃ１が造成される。
【００３１】
以上の手順で、築山１段目が構築される。このように１段目の築山が完成した後、１段目と同じ手順で２段目の築山が造成され、順次、最上面１４の高さまで繰り返されて、平面円形状の築山である津波避難施設Ａが構築される。尚、斜路部Ｃ１，Ｃ２の外周縁および柱状部Ｂの最上面１４の外周縁には、手すり２１が設けられている。斜路部Ｃ１，Ｃ２の途中と最上面１４上に、街灯２０，２０，２０，・・・が設置されている。斜路部Ｃ１の外周基部には、全周にわたるコンクリート３０が地面１７上に敷設されている。コンクリート３０の外周には鋼製矢板３１，３１，３１，・・・が全周にわたって添設されている。各鋼製矢板３１の基部は地面１７中に埋設されている。
【００３２】
この津波避難施設Ａの諸元は、下記の通りである。
・下段：外径＝６０ｍ、高さ＝１０ｍ（斜路部Ｃ１）：
・中段：外径＝５０ｍ、高さ＝５ｍ（斜路部Ｃ２）：
・上段：外径＝４０ｍ、高さ＝５ｍ（柱状部Ｂ）：
・斜路部Ｃ１＋Ｃ２：長さ＝３４５ｍ、勾配＝平均６％：
・盛土（土砂）量＝４００００ｍ３：
・総重量＝７６０００ｔ：
・壁面積＝５９１０ｍ２：
・総チェーン長＝１１８１８０ｍ：
・登頂所要時間＝約１０分：
・避難可能人数＝約１０００〜１３００人：
尚、この築山の高さおよび直径は、津波浸水深さに応じて自由に設計変更することができる。
【００３３】
上記のように構成された津波避難施設Ａの作用を引き続き説明する。大きな地震により津波に到来が予想されると、避難者Ｍは、図７および図８に示すように、津波避難施設Ａの登り口Ｄから矢印Ｓのように登り踊り場Ｅを経て入口Ｆから最上面１４に避難する。その後、津波避難施設Ａを襲った津波は、波動軌跡線１８および波動軌跡線１９で表されるように、斜路部Ｃ１、斜路部Ｃ２、柱状部Ｂへと順次衝突していくが、平面円形状の斜路部Ｃ１により津波エネルギーが左右に分散され水流が左右に分流する（図７参照）。その結果、津波避難施設Ａの前面では津波が１５ｍ程度までしか届かず（図８参照）、従って最上面１４上に避難している避難者Ｍは何ら被害を蒙ることがない。一方、左右に分流した津波は、津波避難施設Ａの背面での水位および波力エネルギーが小さくなっているから、柱状部Ｂおよび斜路部Ｃ１，Ｃ２の損壊を招かない。
【００３４】
そこで、東日本大震災時に発生した津波の水位経時変化および波力エネルギーを津波避難施設Ａのモデルに与えた場合のシミュレーションを、京都大学の防災研究所に委託した。
図９のグラフは、東日本大震災時に釜石市沖の波高計で計測された水位の経時変化に相当する入力波形を示している。この場合、水位が変化し始めてからの経時変化を表している。
計測データより；
１ｍ2当りの波圧力＝５００００ｋＮ×８００ｍ2＝６．２５ｔ／ｍ2：
一方；
平均圧力＝６７ｋＰａ×０．０１０２＝０．６８３４ｋｇ／ｃｍ2：
１ｍ2当りの圧力＝１００００×０．６８３４＝６．８３ｔ／ｍ2：
すなわち、１ｍ2当りの圧力は、６．２５ｔ／ｍ2または６．８３ｔ／ｍ2である。ここでは、１ｍ2当りの圧力＝６．８３ｔ／ｍ2を採用した。
【００３５】
そのシミュレーション結果を図１０に示す。図中の実線で示した曲線は、津波が当たった津波避難施設Ａの前面における水位（水深）の変化を表している。図中の１点鎖線で示した曲線は、津波が当たった後の津波避難施設Ａの背面における水位（水深）の変化を表している。
図１０に示したシミュレーション結果によれば、津波は津波避難施設Ａの前面の斜路部Ｃ１の第２外周壁Ｈ２に衝突するが（実線の曲線）、斜路部Ｃ１の平面円形状により津波エネルギーが左右に分散され、水流が左右に分流する。その結果、津波避難施設Ａの前面では津波が１５ｍ程度までしか届かず、従って最上面１４上に避難している避難者Ｍは何ら被害を蒙ることがないと推定される。一方、左右に分流した津波は、津波避難施設Ａの背面における水位（１点鎖線の曲線）が小さくなるから、柱状部Ｂおよび斜路部Ｃ１，Ｃ２の損壊を招くこともない。
【００３６】
以上述べたように、この津波避難施設Ａによれば、柱状部Ｂおよび斜路部Ｃ１，Ｃ２を平面視で円形状としたことで、津波の波力エネルギーおよび波圧を減衰させることができる。また、津波による浮遊物体の衝突衝撃を、平面円形状の鋼製枠１０，１０Ａ，１０Ｂを組み立てた壁部材２８で防御するので、土砂１１，１２から主として成る築山自体の安定性を保つことができる。
因みに、既述したように、図１３に示した従来の立方体避難構造物５６は、津波の波力エネルギーを鉛直平面の真正面でほぼ１００％受けるので損壊しやすいことから、避難者Ｍの安全を確実に確保できるとは云いがたい。
【００３７】
そして、築山頂上の最上面１４までラセン状の登りの斜路部Ｃ１，Ｃ２を有しているが、これらの斜路部Ｃ１，Ｃ２は、地面１７に対し４％以上１１％以下という比較的緩やかな勾配θが採用されているので、老人、車椅子利用者、幼児などであっても、無理なく確実に登ることができ、何物にも代えがたい命を無用に失うという不幸を回避することができる。
また、この津波避難施設Ａは鋼製枠１０，１０Ａ，１０Ｂと鋼製ネット材１５とチェーン１３と土砂１１，１２とで構成されているので、例えば全体にコンクリートを充填して形成された津波避難施設などと比べて極めて安価に実現できる。そのうえ、数十年ないし数百年に１回程度の大津波が襲来するとき以外は、盛土上に草木が生えた自然公園として開放され、市民の有用に供することができる。
【００３８】
尚、上記の実施形態では、柱状部Ｂの最上面１４に屋根体が無いものを例示したが、本発明の津波避難施設はそれに限定されるものでない。例えば、図１１に示す津波避難施設Ａ１のように、平面視円形状の柱状部Ｂ１の最上面１４に支柱２２が立設され、この最上面１４全体を蔽う屋根体２３が支柱２２に支持されている。また、柱状部Ｂ１の最上面１４が掘削されて、人が居住可能な居住エリア２５（避難室の例）と、保存食、毛布、衣類、医療用品などを備蓄する備蓄室２６と、保存飲料水や生活用水を貯蔵する貯水槽２７とが設けられている。これらの居住エリア２５、備蓄室２６、貯水槽２７を備えているので、避難者Ｍは夏の暑さ、冬の寒さあるいは風雨をしのげるから、救援されるまでの体力消耗を防いで存命に寄与することができる。
【００３９】
そして、屋根体２３の上面には、居住エリア２５に給電するための太陽電池２４が多数設置されている。これらの２４，２４，２４，・・・により発電された電力は、例えば備蓄室２６に設置されている蓄電池（図示省略）にいったん充電される。従って、必要に応じ、街灯２０、居住エリア２５内の照明、通信機器などの電源として使用することができ、避難時の快適性を高くする。
【００４０】
また、上記では、第１外周壁Ｈ１および第２外周壁Ｈ２の向きを略鉛直としているが、本発明では例えば真の鉛直方向から±５度程度まで傾斜している場合も含むものとする。
そして、上記では、柱状部Ｂ１の最上面１４の全面を蔽う屋根体２３を例示したが、本発明の屋根体としては、柱状部Ｂ１の最上面１４よりも広くして、例えば斜路部Ｃ１，Ｃ２までも蔽える大きさにしても構わない。
【００４１】
また、上記では、ひとつの柱状部Ｂ（またはＢ１）に斜路部Ｃ１，Ｃ２を添設したものを例示したが、本発明はそれに限定されない。例えば、上面の面積が異なる複数の柱状部が、上面積の大きな柱状部ほど下に配置されるように積重され、或る柱状部の上面とその下に在る柱状部の上面が、および、最下部の柱状部の上面と地面が、各柱状部の周壁に添設された斜路部によりそれぞれ連結された津波避難施設も、本発明に含まれる。
そして、上記では、柱状部および斜路部として、平面視で円形状に形成されたものを例示したが、本発明の柱状部および斜路部の平面形状は、それに限定されない。すなわち平面視で、例えば楕円形状のもの、長円形状のもの、あるいは舟型形状のものも、本発明に含まれる。尚、前記した楕円形状のもの、長円形状のもの、あるいは舟型形状のものを採用する場合は、それらの長径方向または長尺方向が津波の進行方向と平行になるように、柱状部および斜路部が配置される。
【符号の説明】
【００４２】
Ａ，Ａ１  津波避難施設
１  縦板鋼材
２，３  横桟鋼材
１０，１０Ａ，１０Ｂ  鋼製枠
１１，１２  土砂
１４  最上面
１５  鋼製ネット材
１７  地面
２３  屋根体
２４  太陽電池
２５  居住エリア（避難室の例）
２８  壁部材
Ｂ，Ｂ１  柱状部
Ｃ１，Ｃ２  斜路部
Ｈ１  第１外周壁
Ｈ２  第２外周壁
θ  勾配
【図１】
2015101913.tif 000003
【図２】
2015101913.tif 000004
【図３】
2015101913.tif 000005
【図４】
2015101913.tif 000006
【図５】
2015101913.tif 000007
【図６】
2015101913.tif 000008
【図７】
2015101913.tif 000009
【図８】
2015101913.tif 000010
【図９】
2015101913.tif 000011
【図１０】
2015101913.tif 000012
【図１１】
2015101913.tif 000013
【図１２】
2015101913.tif 000014
【図１３】
2015101913.tif 000015